(57)【要約】      （修正有）【課題】位置切換を確実におこなえるラチェットドライバーを提供する。【解決手段】主にグリップと、台座２０と、連稈３０と、ラチェット機構と方向制御部５０とを含む。ラチェット機構は、第１制動部材４１と、第２制動部材と、弾性部材４３とを含む。第１制動部材を第１枢設部２６に設け、前記第２制動部材を第２枢設部２７に設け、２つの制動部材には連稈の歯部３４に呼応して複数のラチェット歯４２２を設け、弾性部材４３を前記２つの制動部材の間に設けることによって、２つの制動部材は、連稈の歯部と反対方向にて連稈の歯部に歯合される。前記方向制御部は、台座の外縁部に枢設し、方向制御部は選択により２つの制動部材と連稈との歯合関係を制御できる。【選択図】図５
0003156872.tif 000002
【実用新案登録請求の範囲】
【請求項１】
グリップと、
第１端と第２端とを有し、前記第１端は前記グリップに結合し、前記第２端の中央場所に結合孔を設け、かつ前記第２端に第１枢設部と第２枢設部とを有する台座と、
前記台座の前記結合孔に枢設し、外周部に歯部が繞設されている連稈と、
第１制動部材と、第２制動部材と、弾性部材とを含み、前記第１制動部材を第１枢設部に設け、前記第２制動部材を第２枢設部に設け、２つの前記制動部材には前記連稈の歯部に呼応して、複数のラチェット歯をそれぞれ設け、前記弾性部材は当該２つの前記制動部材の間に設けることによって、２つの前記制動部材の前記ラチェット歯は前記連稈の前記歯部に歯合できるラチェット構造と、
前記台座の外周部に枢設し、選択により２つの前記制動部材と前記連稈との歯合関係を制御する方向制御部とを含むことを特徴とする、ラチェットドライバー。
【請求項２】
前記台座の軸方向には前記結合孔を設け、前記連稈は第１端と第２端とを有し、前記連稈の前記第１端を前記結合孔に枢設し、前記連稈の前記第２端を前記方向制御部に穿設し、かつ前記連稈の前記第２端の軸方向に止め孔を設け、
前記連稈とラチェット構造は、前記方向制御部と前記台座との間を制限し、前記台座の前記第２端はさらに収容部を有し、
前記ラチェット歯の反対端には当接部を設け、
前記弾性部材はシート状の止め金であり、前記弾性部材は第１端と第２端とを有し、前記弾性部材の両端間には、前記収容部を設け、Ｕ字型を形成し、前記弾性部材の両端を前記当接部にそれぞれあてがうことによって、前記ラチェット歯は逆回動方向にて、前記連稈の歯部に歯合されることを特徴とする、請求項１記載のラチェットドライバー。
【請求項３】
前記台座の前記第２端の端部には接合部を形成し、前記接合部は２つの前記枢設部の反対側の外周部に突起塊を設け、前記突起塊の内周部に弓状の収容部を形成し、前記弾性部材を前記収容部に収容し、前記弾性部材の前記第１端と前記第２端は、互いに相反する方向にて外部に張り出し、前記台座は仮想垂線を軸としたとき、前記第１制動部材と前記第２制動部材は互いに左右に釣り合うように配置され、前記突起塊は前記台座の第１端に呼応して保持つばを形成し、前記方向制御部の内周部に凹み環状溝を設け、前記凹み環状溝はＣ型留め具の取付けに備え、前記留め具を前記台座に備える突起塊の保持つばにあてがうことを特徴とする、請求項２記載のラチェットドライバー。
【請求項４】
前記制動部材は、前記ラチェット歯の反対端に制動部を設け、前記方向制御部の内周部に制動ブロックを設け、前記制動ブロックは選択によって、そのうち一つの前記制動ブロックの前記制動部にあてがい、２つの前記枢設部の間に位置決め部を設け、前記制動ブロックの軸方向に収容孔を設け、前記収容孔は位置決め装置の収容に提供して、前記位置決め部に固定させ、前記位置決め部は第１スロット、第２スロット、第３スロットと、当該３つのスロットに連絡するレールを有し、前記第１スロットは、前記第２スロットと前記第３スロットとの間に設け、前記位置決め装置は、鋼球と、弾性部とを有し、前記弾性部は、前記鋼球を軽く前記位置決め部にあてがうことによって、前記鋼球をそのうち一つのスロットに固定させ、前記第１枢設部と、前記突起塊との間に、第１固定部を設け、前記第２枢設部と前記突起塊との間に第２固定部を設け、当該２つの前記固定部をそれぞれ前記２つの制動部材の制動部にあてがうことを特徴とする、請求項３記載のラチェットドライバー。
【請求項５】
グリップと、
第１端と第２端とを有し、前記第１端は前記グリップに結合し、前記第２端の中央場所に結合孔を設け、かつ前記第２端に第１枢設部と第２枢設部とを有する台座と、
前記台座の前記結合孔に枢設し、外周部に歯部を繞設されている連稈と、
第１制動部材と、第２制動部材と、弾性部材とを含み、前記第１制動部材は第１枢設部に設け、前記第２制動部材は第２枢設部に設け、２つの前記制動部材は前記連稈の歯部に呼応して、複数のラチェット歯をそれぞれ設け、前記弾性部材は当該２つの前記制動部材の間に設けることによって、２つの前記制動部材の前記ラチェット歯は前記連稈の前記歯部に歯合できるラチェット構造と、
前記台座の外周部に枢設し、２つの前記制動部材と前記連稈との歯合関係を制御し、第２位置と第３位置との間の移動が許され、第２位置が選択されたときに、前記第１制動部材のラチェット歯は前記連稈の歯部を引き離し、第３位置が選択されたときに、前記第２制動部材のラチェット歯は、前記連稈の歯部を引き離す方向制御部とを含むことを特徴とする、ラチェットドライバー。
【請求項６】
前記台座の前記第２端はさらに収容部を有し、前記制動部材は前記ラチェット歯の反対端に当接部を設け、前記弾性部材はシート状の止め金であり、前記弾性部材は第１端と第２端とを有し、前記弾性部材の両端間には前記収容部を取り付けてＵ字型を形成し、前記弾性部材の両端はそれぞれ２つの前記制動部材を軽くあてがうことによって、２つの前記制動部材を相反する方向にて、前記連稈の前記歯部に歯合させ、前記弾性部材は、前記ラチェット歯の反対端に制動部を設け、前記方向制御部の内周部に制動ブロックを設け、前記制動ブロックは選択により、そのうち一つの制動部材の制動部をあてがい、２つの前記枢設部の間には位置決め部を設け、前記制動ブロックの軸方向に収容孔を設け、前記収容孔は前記位置決め装置を収容することによって、前記位置決め部に固定されることを特徴とする、請求項５記載のラチェットドライバー。
【考案の詳細な説明】
【技術分野】
【０００１】
本考案は一種のラチェットドライバーに係り、特に一種の位置切替えを確実に行えるラチェットドライバーに関する。
【背景技術】
【０００２】
公知技術のドライバーは螺合素子に対する締め付けと緩めの効果は有するものの、位置決めと加速の効果を有せず、操作の利便性に欠ける。
【０００３】
アメリカ合衆国特許６６４４１４７号（特許文献１）Ｒａｔｃｈｅｔ  ｄｅｖｉｃｅ  ｆｏｒ  ａ  ｓｃｒｅｗｄｒｉｖｅｒ（スクリュードライバーのラチェット装置）によれば、一種のラチェットドライバーであって、各制動ブロックはそれぞればねの圧迫を受けることによって、ブッシングのリングギヤと歯合し、本体の端部に回動自在の蓋体を設け、蓋体を回動するときに、各制動ブロックをそれぞれ移動し、各制動ブロックの歯部とリングギヤ面との切り離しまたは歯合を制御する。
【先行技術文献】
【特許文献】
【０００４】
【特許文献１】アメリカ合衆国特許６６４４１４７号
【考案の概要】
【考案が解決しようとする課題】
【０００５】
公知技術のラチェットドライバーは、２つの制動ブロックをばねで連結し、蓋体を移動することによって、ラチェットブロックと爪車との歯合関係を制御する。しかしながら、ラチェットドライバーの内壁はラチェットブロックの圧迫によって、形状変化を引き起こされ、ラチェットブロックとリングギヤ面との歯合力に影響を与えるほか、２つの制動ブロックに連結する圧縮ばねには、弾性疲労の欠点がある。圧縮ばねは、ラチェットドライバーが回動している間は、常に制動ブロックの圧迫を受けて疲労を引き起してしまい、ラチェットブロックとリングギヤとの歯合力が影響を受ける。さらに、ラチェットブロックは、収容溝に滑り嵌めによって止められているため、ラチェットブロックの位置がずれ易く、ラチェットドライバーの位置切替えが精確に行えない欠点があり、至急に解決の必要がある。
【課題を解決するための手段】
【０００６】
本考案は既存技術課題に対して、一種の異なる位置の切替えを確実に行えるラチェットドライバーを提供することを本考案の主な目的とする。
【０００７】
第１制動部材と第２制動部材を台座に枢設し、第１制動部材の枢転方向によって、連稈との歯合または切り離しを制御し、弾性部材は制動部材と連稈との歯合を弾性的にあてがい、ラチェットドライバーを３つの固定位置へ確実に固定する、一種のラチェットドライバーを提供することを本考案次の目的とする。
【０００８】
位置決め部を３つのスロットとレールより構成することによって、方向制御部を３つの位置のスロットの間に移動できる、一種のラチェットドライバーを提供することを本考案また一つの目的とする。
【考案の効果】
【０００９】
以下の説明内容から、本考案は以下の長所をまとめることができる。
イ、本考案に係るラチェットドライバーの第１制動部材と第２制動部材を台座に枢設し制動部材の枢転によって、連稈との歯合または切り離しを制御し、弾性部材は制動部材と連稈との歯合を弾性的にあてがうことによって、ラチェットドライバーを３つの固定位置へ確実に固定できる。
【００１０】
ロ、本考案に係るラチェットドライバーの位置決め部を、３つのスロットとレールより構成することによって、方向制御部は３つのスロットの間の移動に限定される。
【図面の簡単な説明】
【００１１】
【図１】本考案に係るラチェットドライバーの立体外観図である。
【図２】本考案に係るラチェットドライバーの立体分解図である。
【図３】本考案に係るラチェットドライバーのもう一つの視角で見た立体外観図である。
【図４】本考案に係るラチェットドライバーのラチェット構造の断面図である。
【図５】本考案による図４に示す５−５断面線に沿った断面図である。
【図６】本考案に係る動作態様図であり、方向制御部は第２位置に設定されている状態を示す。
【図７】図６に引き続き、台座が逆時計方向に回動すると、第２制動部材は連稈から離脱される。
【図８】本考案に係る動作態様図であり、方向制御部は第３位置に設定されている状態を示す。
【図９】図８に引き続き、台座が時計方向に回動すると、第１制動部材は連稈から離脱される。
【考案を実施するための形態】
【００１２】
図１ないし図３、本考案に係るラチェットドライバーの立体外観図と、立体分解図を参照する。本考案は主にグリップ１０、台座２０、連稈３０、ラチェット構造４０と、方向制御部５０とを含む。台座２０をグリップ１０に結合することができる。連稈３０は回動自在にて、前記台座２０に遊嵌し、ラチェット構造４０を台座２０に設け、連稈３０に歯合することができる。方向制御部５０によって、ラチェット構造４０と連稈３０との歯合状態が制御される。
【００１３】
図４と図５を合わせて参照する。台座２０は第１端２１と第２端２２とを有し、第１端２１はグリップ１０に結合することができ、台座２０の軸方向に結合孔２３を設け、結合孔２３に台座２０をくぐる。結合孔２３は連稈３０に嵌着し、台座２０の第２端２２の端部に接合部２４を形成して、ラチェット構造４０を収容する。接合部２４の縁に弓状の突起塊２５を設け、仮想垂線Ｖを軸とした場合、突起塊２５は左右に釣り合う形状を形成する。突起塊２５は第１端２１向きに保持つば２５１を形成し、突起塊２５の内周部に弓状の収容部２５２を形成し、接合部２４は突起塊２５の片側に第１枢設部２６と第２枢設部２７とを凸設し、２つの枢設部２６、２７の間に、位置決め部２８を設ける。仮想垂線Ｖを軸とした場合、第１枢設部２６と第２枢設部２７は、互いに左右に釣り合うように配置して、位置決め部２８は左右に釣り合う形状を形成する。第１枢設部２６と突起塊２５との間に第１固定部２６１を設け、第２枢設部２７と突起塊２５との間に、第２固定部２７１を設ける。位置決め部２８は第１スロット２８１と、第２スロット２８２と、第３スロット２８３と、当該スロット２８１、２８２、２８３に連絡するレール２８４とを有する。第１スロット２８１を垂線Ｖ上に取付け、第２スロット２８２と第３スロット２８３を第１スロット２８１の両側に釣り合って配置する。
【００１４】
連稈３０は、第１端３１と第２端３２とを有し、連稈３０の第１端３１は台座２０の結合孔２３に枢設することによって、連稈３０と台座２０を相対して回動できる。連稈３０の第２端３２の軸方向に、ツールヘッド部６０に接続するための止め孔３３を設ける。連稈３０の第１端３１の外周部に歯部３４を繞設する。
【００１５】
ラチェット構造４０を台座２０の接合部２４に設け、ラチェット構造４０は第１制動部材４１、第２制動部材４２と、弾性部材４３とを含み、２つの制動部材４１、４２をそれぞれ２つの枢設部２６、２７に枢設し、かつ第１制動部材４１と第２制動部材４２は仮想垂線Ｖを軸に、釣り合って配置する。
【００１６】
第１制動部材４１は、第１枢設部２６に枢設するための枢支孔４１１を設け、第１制動部材４１の一端に複数のラチェット歯４１２を設け、当該ラチェット歯４１２を連稈３０の歯部３４に歯合することができる。第１制動部材４１はラチェット歯４１２の反対端に当接部４１３と制動部４１４とを設け、当接部４１３は突起塊２５の付近場所に、制動部４１４は位置決め部２８の付近部にそれぞれ取付け、第１制動部材４１の旋転によって、制動部４１４を第１固定部２６１にあてがう。
【００１７】
第２制動部材４２は第２枢設部２７に枢設するための枢支孔４２１を有し、第２制動部材４２の一端に複数のラチェット歯４２２を設け、当該ラチェット歯４２２を連稈３０の歯部３４に歯合することができる。第２制動部材４２はラチェット歯４２２の反対端に当接部４２３と制動部４２４とを設け、当接部４２３を突起塊２５の付近場所に、制動部４２４を位置決め部２８の付近部にそれぞれ取付け、かつ第２制動部材４２の旋転によって、制動部４２４を第２固定部２７１にあてがう。
【００１８】
弾性部材４３を２つの制動部材４１、４２の間に設け、弾性部材４３はシート状の止め金であり、弾性部材４３は第１端４３１と第２端４３２とを有し、弾性部材４３の両端４３１、４３２の間に収容部２５２を設けてＵ字型を形成し、弾性部材４２の第１端４３１と第２端４３２は互いに相反する方向に向かって外側に張り出すことによって、両端４３１、４３２がそれぞれ２つの制動部材４１、４２の当接部４１３、４２３を圧迫し、当該２つの制動部材４１、４２のラチェット歯４１２、４２２は反対の回動方向にて、連稈３０の歯部３４に歯合される。
【００１９】
方向制御部５０を台座２０の第２端２２に設けることによって、連稈３０とラチェット構造４０を方向制御部５０と台座２０との間に制限させ、方向制御部５０の中央場所に通し孔５１を設け、通し孔５１は連稈３０の第２端３２を通す。方向制御部５０の内周部に制動ブロック５２を設け、制動ブロック５２は台座２０の位置決め部２８に対向して設け、方向制御部５０の旋転によって、制動ブロック５２がそのうち一つの制動部材４１、４２の制動部４１４、４２４を旋転させ、制動部材４１、４２のラチェット歯４１２、４２２を連稈３０の歯部３４から引き離し、ラチェットドライバーの方向切換え効果を実現する。制動ブロック５２の軸方向に受入穴５２１を設け、受入穴５２１に位置決め装置５３を収容する。位置決め装置５３は鋼球５３１と弾性部５３２より構成し、方向制御部５０は３つの位置決め部２８のスロット２８１、２８２、２８３の位置決めに対応することができる。方向制御部５０は制動ブロック５２の反対側の内周部に凹み環状溝５４を設け、凹み環状溝５４にＣ型の留め具５５を取付ける。留め具５５は台座２０の突起塊２５の保持つば２５１にあてがい、方向制御部５０の抜け出しを制限する。
【００２０】
図５ないし７を参照する。方向制御部５０は第１位置、第２位置、第３位置の間に移動することができる。
【００２１】
図５と図２を合わせて参照すると共に、図２を合わせて参照する。図５において方向制御部５０の第１位置が選択されたときに、位置決め装置５３の鋼球５３１は、第１スロット２８１に固定され、２つの制動部材４１、４２のラチェット歯４１２、４２２とも連稈３０の歯部３４に歯合される。台座２０を時計方向に回動させると、第２制動部材４２を連稈３０に歯合することによって、台座２０は連稈３０を同時に駆動する。台座２０を逆時計方向に回動させると、第１制動部材４１は連稈３０に歯合し、台座２０は連稈３０を同時に駆動するため、台座２０による時計方向と逆時計方向の回動とも連稈３０を同時に駆動することができる。
【００２２】
図６と図７を参照すると共に、図２を参照する。図６において方向制御部５０が第２位置に選択されたとき、位置決め装置５３の鋼球５３１は第２スロット２８２に固定され、方向制御部５０の制動ブロック５２は第１制動部材４１の制動部４１４を押し込み、第１制動部材４１のラチェット歯４１２は連稈３０の歯部３４を引き離すと共に、制動部４１４を制動ブロック５２と第１固定部２６１との間に制限し、弾性部材４３の第２端４３２を第２制動部材４２で押え、ラチェット歯４２２を連稈３０の歯部３４に歯合させる。台座２０を時計方向に回動すると、第２制動部材４２は同時に駆動されて、連稈３０の反力によって、第２制動部材４２に時計方向の旋転を駆動し、第２制動部材４２を連稈３０に歯合させ、台座２０によって連稈３０を同時に駆動する。図７に示すように、台座２０を逆時計方向に回動すると、第２制動部材４２は同時に駆動されて、連稈３０の反力によって、第２制動部材４２に逆時計方向の旋転を駆動し、第２制動部材４２のラチェット歯４２２は連稈３０の歯部３４を引き離して、自在に回動し、台座２０は連稈３０に対して、逆時計方向に回動する。
【００２３】
図８と図９を参照すると共に、図２を参照する。図８において方向制御部５０が第３位置に選択されたとき、位置決め装置５３の鋼球５３１は第３スロット２８３に固定され、方向制御部５０の制動ブロック５２は第２制動部材４２の制動部４２４を押し込み、第２制動部材４２のラチェット歯４２２を連稈３０の歯部３４から引き離すと共に、制動部４２４を制動ブロック５２と第２固定部２７１との間に制限し、第１制動部材４１のラチェット歯４１２を連稈３０の歯部３４に制限すると共に、制動部４２４を制動ブロック５２と第２固定部２７１との間に制限し、弾性部材４３の第１端４３１を第１制動部材４１で押さえ込み、ラチェット歯４１２を連稈３０の歯部３４に歯合させる。台座２０を時計方向に回動すると、第１制動部材４１は同時に駆動されて、連稈３０の反力によって、第１制動部材４１を駆動し、時計方向に旋転させる。第１制動部材４１は連稈３０に歯合されて、台座２０は連稈３０を同時に駆動する。図９に示すように、台座２０を逆時計方向に回動すると、第１制動部材４１は同時に駆動されて、連稈３０の反力によって、第１制動部材４１を駆動し、逆時計方向に旋転させ第１制動部材４１のラチェット歯４１２は連稈３０の歯部３４を引き離して、自在に回動できる。台座２０は連稈３０に対して、逆時計方向に回動する。
【００２４】
特に注意したいことは、弾性部材４３の両端４３１、４３２を制動部材４１、４２にあてがい、制動部材４１、４２によって、連稈３０の位置区間を引き離して移動している間、弾性部材４３に余分な圧迫はなく、弾性部材４３は長時間にわたり、良好な弾性力を維持でき、使用寿命を向上できるという点である。
【符号の説明】
【００２５】
１０       グリップ
２０       台座
２１       第１端
２２       第２端
２３       結合孔
２４       接合部
２５       突起塊
２５１     保持つば
２５２     収容部
２６       第１枢設部
２６１     第１固定部
２７       第２枢設部
２７１     第２固定部
２８       位置決め部
２８１     第１スロット
２８２     第２スロット
２８３     第３スロット
２８４     レール
３０       連稈
３１       第１端
３２       第２端
３３       止め孔
３４       歯部
４０       ラチェット構造
４１       第１制動部材
４１１     枢支孔
４１２     ラチェット歯
４１３     当接部
４１４     制動部
４２       第２制動部材
４２１     枢支孔
４２２     ラチェット歯
４２３     当接部
４２４     制動部
４３       弾性部材
４３１     第１端
４３２     第２端
５０       方向制御部
５１       通し孔
５２       制動ブロック
５２１     受入穴
５３       位置決め装置
５３１     鋼球
５３２     弾性部
５４       凹み環状溝
５５       留め具
６０       ツールヘッド部
Ｖ         垂線
【図１】
0003156872.tif 000003
【図２】
0003156872.tif 000004
【図３】
0003156872.tif 000005
【図４】
0003156872.tif 000006
【図５】
0003156872.tif 000007
【図６】
0003156872.tif 000008
【図７】
0003156872.tif 000009
【図８】
0003156872.tif 000010
【図９】
0003156872.tif 000011